(57)【特許請求の範囲】
【請求項１】
荷物の運送者が操作する第１端末装置と、前記第１端末装置と電気通信回線を介して通信可能に接続され、前記運送者により運送される荷物の情報が管理情報として管理される荷物管理支援装置と、前記荷物管理支援装置と電気通信回線を介して通信可能に接続され、運送先が確認者となって操作することで荷物の確認を行うための第２端末装置とを備え、
前記第１端末装置は、荷物を荷物画像として撮影する撮影手段と、荷物に付与された光学的読取情報を前記撮影手段により撮影して、前記光学的読取情報から荷物を識別する荷物識別情報を読み取るコード取得手段と、運送前と運送後とに撮影された荷物画像を荷物識別情報と共に管理情報として前記荷物管理支援装置へ送信するアップロード手段と、荷物識別情報を閲覧要求として前記荷物管理支援装置に送信して、前記荷物管理支援装置からの運送前と運送後とに撮影された荷物画像を閲覧する閲覧手段とを備え、
前記荷物管理支援装置は、前記第１端末装置からの荷物識別情報に荷物画像を関連付けて管理情報として記憶手段に登録する登録手段と、前記第１端末装置からの閲覧要求に応じて、前記荷物識別情報に関連付けられた、運送前と運送後とに撮影された荷物画像を送信する管理情報提供手段を備え、
前記第２端末装置は、荷物に付与された光学的読取情報を撮影する撮影手段と、前記撮影手段により前記光学的読取情報を撮影して、前記光学的読取情報から荷物を識別する荷物識別情報を読み取るコード取得手段と、荷物識別情報を閲覧要求として前記荷物管理支援装置に送信して、前記荷物管理支援装置からの運送前と運送後とに撮影された荷物画像を閲覧する閲覧手段とを備え、
前記第２端末装置は、前記閲覧手段により閲覧した運送前と運送後との荷物画像に問題無いことが確認されたときに、確認通知を前記荷物管理支援装置へ送信する機能を備え、
前記荷物管理支援装置は、前記登録手段が、荷物識別情報に対応させて確認済情報を前記記憶手段に格納し、前記管理情報提供手段が、前記第１端末装置からの閲覧要求に応じて、確認済情報を荷物画像と共に、前記第１端末装置へ送信する荷物管理支援システム。
【請求項２】
前記第１端末装置は、現在位置を示す測位情報を出力する測位手段を備え、
前記アップロード手段は、管理情報に測位情報を含めて、前記荷物管理支援装置へ送信し、
前記荷物管理支援装置は、前記第１端末装置からの閲覧要求に応じて、運送前と運送後とに撮影された荷物画像と共に、運送前と運送後との測位情報を、前記第１端末装置に送信する請求項１記載の荷物管理支援システム。
【請求項３】
第１コンピュータを、荷物の運送者が操作する第１端末装置として機能させる運送者用のプログラムと、第２コンピュータを、前記第１端末装置と電気通信回線を介して通信可能に接続され、前記運送者により運送される荷物の情報が管理情報として管理される荷物管理支援装置として機能させる管理用のプログラムと、第３コンピュータを、運送先が確認者となって操作することで荷物の確認を行うための第２端末装置として機能する確認者用のプログラムとを備え、
前記運送者用のプログラムは、前記第１コンピュータを、
荷物を荷物画像として撮影する撮影手段、荷物に付与された光学的読取情報を前記撮影手段により撮影して、前記光学的読取情報から荷物を識別する荷物識別情報を読み取るコード取得手段、運送前と運送後とに撮影された荷物画像を荷物識別情報と共に管理情報として前記荷物管理支援装置へ送信するアップロード手段、荷物識別情報を閲覧要求として前記荷物管理支援装置に送信して、前記荷物管理支援装置からの運送前と運送後とに撮影された荷物画像を閲覧する閲覧手段として機能させ、
前記管理用のプログラムは、前記第２コンピュータを、
前記第１端末装置からの荷物識別情報に荷物画像を関連付けて管理情報として記憶手段に登録する登録手段、前記第１端末装置からの閲覧要求に応じて、前記荷物識別情報に関連付けられた、運送前と運送後とに撮影された荷物画像を送信する管理情報提供手段として機能させ、
前記確認用のプログラムは、前記第２コンピュータを、
荷物に付与された光学的読取情報を撮影する撮影手段、前記撮影手段により前記光学的読取情報を撮影して、前記光学的読取情報から荷物を識別する荷物識別情報を読み取るコード取得手段と、荷物識別情報を閲覧要求として前記荷物管理支援装置に送信して、前記荷物管理支援装置からの運送前と運送後とに撮影された荷物画像を閲覧する閲覧手段であり、閲覧した運送前と運送後との荷物画像に問題無いことが確認されたときに、確認通知を前記荷物管理支援装置へ送信する閲覧手段として機能させ、
更に、前記管理用のプログラムは、前記第２コンピュータを、前記登録手段が、荷物識別情報に対応させて確認済情報を前記記憶手段に格納し、前記管理情報提供手段が、前記第１端末装置からの閲覧要求に応じて、確認済情報を荷物画像と共に、前記第１端末装置へ送信するよう機能させる荷物管理支援プログラム。
【発明の詳細な説明】
【技術分野】
【０００１】
本発明は、車両や船舶、航空機などにより運送される荷物の品質管理を、運送前と運送後とで支援する荷物管理支援システムおよび荷物管理支援プログラムに関するものである。
【背景技術】
【０００２】
車両や船舶、航空機などにより運送される荷物は、運送中に、幾度となく載せ替えられるときの衝撃や、運送による振動により他の荷物や荷物室の壁面との衝突などが原因で、傷や凹みが生じる場合がある。運送者は、荷物を期日通りに届けることは勿論のこと、傷や凹みなど荷物に問題を生じさせることなく、運送することが重要である。また、運送者は、問題なく荷物を届けたことを、運送の依頼主や荷主に確認を取ることが重要である。
【０００３】
一方、荷物に関する情報を図形化したバーコードなどの光学的読取情報により荷物の管理を行うことが知られている。
例えば、特許文献１の船荷写真公開システムには、倉庫業者が船荷写真撮影端末装置により、船荷の到着の際に発行される貨物到着案内書に記録された識別コード（バーコードなど）を読み取り、読み取られた識別コードと、撮影された船荷写真とを関連付けて、あらかじめ定められた船荷情報提供サーバにアップロードすると、船荷主の端末装置等から送信されてきた、船荷写真の要求に応じて、識別コードにより、公開すべき写真を指定して、データの公開を行う、ことが記載されている。
【０００４】
また、物品の管理について、特許文献２に記載されたものが知られている。特許文献２の管理システム、管理装置、管理方法、および管理プログラムでは、対象物品に関する物品情報を符号化したＱＲコード（登録商標）を撮影して得られた入力画像から、物品情報を読み取ると共に、対象物品を表わす物品画像を取得し、物品画像を物品情報に関連付けて格納する、ことが記載されている。また、この特許文献２には、比較部が、対象物品を予め撮影して得られた基準画像と、物品画像とを比較し、物品画像が所定の基準を満たすか否かを判断する、ことが記載されている。
【先行技術文献】
【特許文献】
【０００５】
【特許文献１】特開２０１７−１８２１号公報
【特許文献２】特開２０１８−４５４８５号公報
【発明の概要】
【発明が解決しようとする課題】
【０００６】
しかし、特許文献１の船荷写真公開システムでは、船荷の到着の際に船荷写真を撮影しているため、船荷に問題が生じた場合に、海運業者が船荷を運送する前から問題が生じていたのか、海運業者の運送によって問題が生じていたのかが不明となるおそれがある。
【０００７】
特許文献２に記載の管理システムは、倉庫管理を目的とするもので、特に金型部品の管理に使用されることを想定したものである。そのため、この管理システムでは、基準画像と物品画像との類似度を算出して比較しており、基準画像として対象物のＣＡＤデータを使用しているので、ＣＡＤデータなどが準備されていない荷物の運送では、荷物の管理に、この管理システムを使用することは適していない。
【０００８】
また、上述したように、この管理システムは、倉庫管理を目的とするものであるため、運送前から荷物に傷や凹みが付いているなどのケースは考慮されていないため、荷物に既に傷や凹みが付いていても、そのままの状態で、問題ないとしてしまうおそれがある。
【０００９】
そこで本発明は、荷物の運送について、責任の所在を明確にすることができる荷物管理支援システムおよび荷物管理支援プログラムを提供することを目的とする。
【課題を解決するための手段】
【００１０】
本発明の荷物管理支援システムは、荷物の運送者が操作する第１端末装置と、前記第１端末装置と電気通信回線を介して通信可能に接続され、前記運送者により運送される荷物の情報が管理情報として管理される荷物管理支援装置とを備え、前記第１端末装置は、荷物を荷物画像として撮影する撮影手段と、荷物に付与された光学的読取情報を前記撮影手段により撮影して、前記光学的読取情報から荷物を識別する荷物識別情報を読み取るコード取得手段と、運送前と運送後とに撮影された荷物画像を荷物識別情報と共に管理情報として前記荷物管理支援装置へ送信するアップロード手段と、荷物識別情報を閲覧要求として前記荷物管理支援装置に送信して、前記荷物管理支援装置からの運送前と運送後とに撮影された荷物画像を閲覧する閲覧手段とを備え、前記荷物管理支援装置は、前記第１端末装置からの荷物識別情報に荷物画像を関連付けて管理情報として記憶手段に登録する登録手段と、前記第１端末装置からの閲覧要求に応じて、前記荷物識別情報に関連付けられた、運送前と運送後とに撮影された荷物画像を送信する管理情報提供手段を備えたことを特徴としたものである。
【００１１】
また、本発明の荷物管理支援プログラムは、第１コンピュータを、荷物の運送者が操作する第１端末装置として機能させる運送者用のプログラムと、第２コンピュータを、前記第１端末装置と電気通信回線を介して通信可能に接続され、前記運送者により運送される荷物の情報が管理情報として管理される荷物管理支援装置として機能させる管理用のプログラムとを備え、前記運送者用のプログラムは、前記第１コンピュータを、荷物を荷物画像として撮影する撮影手段、荷物に付与された光学的読取情報を前記撮影手段により撮影して、前記光学的読取情報から荷物を識別する荷物識別情報を読み取るコード取得手段、運送前と運送後とに撮影された荷物画像を荷物識別情報と共に管理情報として前記荷物管理支援装置へ送信するアップロード手段、荷物識別情報を閲覧要求として前記荷物管理支援装置に送信して、前記荷物管理支援装置からの運送前と運送後とに撮影された荷物画像を閲覧する閲覧手段として機能させ、前記確認用のプログラムは、前記第２コンピュータを、前記第１端末装置からの荷物識別情報に荷物画像を関連付けて管理情報として記憶手段に登録する登録手段、前記第１端末装置からの閲覧要求に応じて、前記荷物識別情報に関連付けられた、運送前と運送後とに撮影された荷物画像を送信する管理情報提供手段として機能させることを特徴としたものである。
【００１２】
本発明によれば、第１端末装置の撮影手段とコード取得手段とにより光学的読取情報から読み取った荷物識別情報と運送前と運送後の荷物画像とを、アップロード手段により荷物管理支援装置にアップロードすることで、荷物管理支援装置の登録手段により登録することができる。そして、第１端末装置の閲覧手段により閲覧要求を荷物管理支援装置に送信することで、荷物管理支援装置の管理情報提供手段により荷物画像が送信されるので、閲覧手段により運送前と運送後とに撮影された荷物画像を閲覧することができる。
従って、運送前から既に問題が発生していたのか、または運送中に問題が発生したものかを確認することができる。
【００１３】
前記第１端末装置は、現在位置を示す測位情報を出力する測位手段を備え、前記アップロード手段は、管理情報に測位情報を含めて、前記荷物管理支援装置へ送信し、前記荷物管理支援装置は、前記第１端末装置からの閲覧要求に応じて、運送前と運送後とに撮影された荷物画像と共に、運送前と運送後との測位情報を、前記第１端末装置に送信することができる。
第１端末装置が、運送前と運送後との現在位置を示す測位情報を荷物管理支援装置へ送信することで、第１端末装置による閲覧するときに、運送前と運送後とに撮影された荷物画像と共に、運送前と運送後との測位情報を閲覧することができるので、運送者は、荷物を正しい運送先に運送したことを確認することができる。
【００１４】
前記荷物管理支援装置と電気通信回線を介して通信可能に接続され、運送先が確認者となって操作することで荷物の確認を行うための第２端末装置を備え、前記第２端末装置は、荷物に付与された光学的読取情報を撮影するための撮影手段と、前記撮影手段により前記光学的読取情報を撮影して、前記光学的読取情報から荷物を識別する荷物識別情報を読み取るコード取得手段と、荷物識別情報を閲覧要求として前記荷物管理支援装置に送信して、前記荷物管理支援装置からの運送前と運送後とに撮影された荷物画像を閲覧する閲覧手段とを備えたものとすることができる。
運送先が確認者となって操作することで荷物の確認を行うための第２端末装置を備えている。この第２端末装置により光学的読取情報から運送前と運送後とに撮影された荷物画像を閲覧することができるため、確認者は、無事に荷物が運送されたことが確認できる。
【００１５】
前記第２端末装置は、前記閲覧手段により閲覧した運送前と運送後との荷物画像に問題無いことが確認されたときに、確認通知を前記荷物管理支援装置へ送信する機能を備え、
前記荷物管理支援装置は、前記登録手段が、荷物識別情報に対応させて確認済情報を前記記憶手段に格納し、前記管理情報提供手段が、前記第１端末装置からの閲覧要求に応じて、確認済情報を荷物画像と共に、前記第１端末装置へ送信することができる。
確認者によって確認されたことを示す確認済情報が第２端末装置から管理情報提供手段へ送信され、第１端末装置からの閲覧要求に応じて、確認済情報を荷物画像と共に、第１端末装置へ送信されるため、確認者が荷物を確認したことを運送者が把握することができる。
【発明の効果】
【００１６】
本発明は、運送前から既に問題が発生していたのか、または運送中に問題が発生したものかを確認することができるので、荷物の運送について、責任の所在を明確にすることができる。
【図面の簡単な説明】
【００１７】
【図１】本発明の実施の形態に係る荷物管理支援システムの全体構成を説明するための図である。
【図２】図１に示す荷物管理支援システムの第１端末装置の構成を説明するための図である。
【図３】図１に示す荷物管理支援システムの第２端末装置の構成を説明するための図である。
【図４】図１に示す荷物管理支援システムの荷物管理支援装置の構成を説明するための図である。
【図５】荷物に付与されたバーコードを説明するための図であり、（Ａ）は伝票に付与された場合を示す図、（Ｂ）は外装箱に付与された場合を示す図、（Ｃ）は荷物が積み上げられたパレットに付与された場合を示す図である。
【図６】図２に示す第１端末装置の表示手段に表示された画面の図であり、（Ａ）はログイン画面の一例を示す図、（Ｂ）はメニュー画面の一例を示す図である。
【図７】図２に示す第１端末装置の表示手段に表示された画面の図であり、（Ａ）はコード読み取り画面の一例を示す図、（Ｂ）は荷物撮影画面の一例を示す図である。
【図８】図２に示す第１端末装置の表示手段に表示された画面の図であり、撮影された荷物画像がサムネイル形式で表示されるアップロード指示画面の一例を示す図である。
【図９】図４に示す荷物管理支援装置の記憶手段に格納された管理情報を説明するための図であり、（Ａ）は運送前に登録された管理情報の状態を説明するための図、（Ｂ）は運送後に登録された管理情報の状態を説明するための図である。
【図１０】図２に示す第１端末装置の表示手段、または図３に示す第２１端末装置の表示手段に表示された閲覧画面の一例を示す図である。
【発明を実施するための形態】
【００１８】
本発明の実施の形態に係る荷物管理支援システムを図面に基づいて説明する。
（荷物管理支援システムの構成の説明）
図１に示す荷物管理支援システム１０は、車両や鉄道、船舶、航空機などの運送手段により運送される荷物が無事に運送先に届けられたことを管理することができるものである。
図１に示すように荷物管理支援システム１０は、運送業者の運送者が操作する第１端末装置２０と、運送先が確認者となって操作することで荷物の確認を行うための第２端末装置３０と、運送者により運送される荷物の情報が管理情報として管理される荷物管理支援装置４０とを備えている。
【００１９】
第１端末装置２０は、無線通信により中継局Ｒを介してインターネットＷに通信可能に接続された携帯端末装置であり、運送者用のプログラムが動作することで機能するコンピュータ（第１コンピュータ）である。
第２端末装置３０は、第１端末装置２０と同様な携帯端末装置であり、確認者用のプログラムが動作することで機能するコンピュータ（第３コンピュータ）である。第２端末装置３０は、有線通信によりインターネットＷに通信可能に接続されたデスクトップ型のコンピュータとすることができる。
荷物管理支援装置４０は、電気通信回線の一例であるインターネットＷに通信可能に接続されたサーバであり、管理用のプログラムが動作することで機能するコンピュータ（第２コンピュータ）である。荷物管理支援装置４０は、大容量の記憶が可能であり、高速に通信可能なサーバ型のコンピュータとすることができる。
運送者用のプログラムと、確認者用のプログラムと、管理用のプログラムとは、荷物管理支援プログラムとして提供される。
【００２０】
（運送者が操作する第１端末装置の構成の説明）
図２に示す第１端末装置２０は、通信手段２０１と、ログイン手段２０２と、撮影手段２０３と、コード取得手段２０４と、アップロード手段２０５と、閲覧手段２０６と、測位手段２０７と、表示手段２０８と、入力手段２０９と、記憶手段２１０とを備えている。
【００２１】
通信手段２０１は、無線通信より、図１に示す中継局Ｒを介してインターネットＷに接続することができ、インターネットＷからのデータを受信して、第１端末装置２０の各手段に出力したり、第１端末装置２０の各手段からのデータをインターネットＷに送信したりする機能を備えている。
ログイン手段２０２は、第１端末装置２０を操作する運送者ごとに発行されたＩＤとパスワードとにより、荷物管理支援装置４０（図１参照）へのアクセスの認証を得るものである。
撮影手段２０３は、バーコードや荷物などの対象物を撮影した荷物画像を出力するデジタルカメラである。
【００２２】
コード取得手段２０４は、荷物ごとに発行された光学的読取情報の一例であるバーコードからコード化情報である荷物を識別する荷物識別情報を取得する。
アップロード手段２０５は、荷物画像、荷物識別情報と、運送者を識別するＩＤ（識別情報）とを、荷物管理支援装置４０にアップロードする。
閲覧手段２０６は、荷物管理支援装置４０が提供する荷物管理サイトにアクセスすることができるブラウザとして機能するものである。
【００２３】
測位手段２０７は、現在位置を示す測位情報を出力する。現在位置データは、経度データと緯度データとから構成される。これに高さデータを含めることも可能である。
表示手段２０８は、各種の情報を表示する機能を備えており、液晶表示パネルや有機ＥＬパネルなどとすることができる。
入力手段２０９は、各種の情報を入力する機能を備えており、表示手段２０８の前面に設けられたタッチパネルとすることができる。
記憶手段２１０は、ＯＳやアプリケーションソフト、各種の設定情報、荷物画像などの情報を記憶する機能を備えており、フラッシュメモリとすることができる。
【００２４】
（受取者が操作する第２端末装置の構成の説明）
図３に示す第２端末装置３０は、通信手段３０１と、ログイン手段３０２と、撮影手段３０３と、コード取得手段３０４と、閲覧手段３０５と、表示手段３０６と、入力手段３０７と、記憶手段３０８とを備えている。
通信手段３０１は、無線通信より、図１に示す中継局Ｒを介してインターネットＷに接続することができ、インターネットＷからのデータを受信して第２端末装置３０の各手段に出力したり、第２端末装置３０の各手段からのデータをインターネットＷに送信したりする機能を備えている。
ログイン手段３０２は、第２端末装置３０を操作する受取者ごとに発行されたＩＤとパスワードとにより、荷物管理支援装置４０（図１参照）へのアクセスの認証を得るものである。
撮影手段３０３は、バーコードや荷物などの対象物を撮影して画像データを出力するデジタルカメラである。
コード取得手段３０４は、荷物ごとに発行された光学的読取情報であるバーコードからコード化情報を取得する。
閲覧手段３０５は、荷物管理支援装置４０が提供する荷物管理サイトにアクセスすることができるブラウザとして機能するものである。
表示手段３０６は、各種の情報を表示する機能を備えており、液晶表示パネルや有機ＥＬパネルなどとすることができる。
入力手段３０７は、各種の情報を入力する機能を備えており、表示手段２０８の前面に設けられたタッチパネルとすることができる。
記憶手段３０８は、ＯＳやアプリケーションソフト、各種の設定情報、荷物画像などの情報を記憶する機能を備えており、フラッシュメモリとすることができる。
【００２５】
（荷物管理支援装置の構成の説明）
図４に示す荷物管理支援装置４０は、通信手段４０１と、認証手段４０２と、登録手段４０３と、管理情報提供手段４０４と、記憶手段４０５とを備えている。
通信手段４０１は、インターネットＷからのデータを受信して、荷物管理支援装置４０の各手段に出力したり、荷物管理支援装置４０の各手段からのデータをインターネットＷに送信したりする機能を備えている。
認証手段４０２は、第１端末装置２０および第２端末装置３０からのログイン要求に応じて認証を行う。
登録手段４０３は、第１端末装置２０からの各情報を関連付けて管理情報として記憶手段４０５に格納する。
管理情報提供手段４０４は、第１端末装置２０および第２端末装置３０からの閲覧要求に応じて、記憶手段４０５から管理情報を読み出し、この管理情報を、通信手段４０１を介して提供する。
記憶手段４０５は、ＯＳやアプリケーションソフト、各種の設定情報、管理情報などの情報を記憶する機能を備えており、ハードディスクドライブとしたり、フラッシュメモリとしたりすることができる。
【００２６】
（荷物管理支援システムの動作および使用状態の説明）
以上のように構成された本実施の形態に係る荷物管理支援システムの動作および使用状態を図面に基づいて説明する。
まず、荷物ごとに付与されたバーコードＣについて、図５に基づいて説明する。
バーコードＣは、図５（Ａ）に示すように、伝票に付与することができる。伝票は、
製品の出荷伝票や、運送元と運送先の住所、名前などが記載された荷物の送り状または配送伝票、運送伝票、商品の納品書などとすることができる（また、バーコードＣは、図５（Ｂ）に示すように梱包するための外装箱Ｂや、図５（Ｃ）に示すように荷物を積載するためのパレットＰに付与することができる。
【００２７】
バーコードＣには、コード化情報である荷物を識別するための識別情報（荷物識別情報）が図形化されている。また、バーコードＣに、荷物管理支援装置４０の登録場所のアドレスを含めることができる。
本実施の形態に係るバーコードＣは、１次元バーコードとしているが、ＱＲコード（登録商標）などの２次元バーコード、白黒だけでなく、色を加えたカラー化により情報量を増加させた１次元バーコードや２次元バーコード、極小ドットによりコード化したドットパターンなどとすることができる。
【００２８】
（認証操作の説明）
まず、運送前に、運送者は、図２に示す第１端末装置２０の入力手段２０９を操作することで、まず、認証を得るための画面を表示手段２０８に表示させる。この操作により、ログイン手段２０２は、ログイン画面Ｐ１（図６（Ａ）参照）を表示手段２０８に表示する。
【００２９】
運送者は、入力手段２０９を操作することで、ログイン画面Ｐ１に事前に割り当てられたＩＤをＩＤ欄Ｒ１１に入力すると共に、ＩＤに対応するパスワードをパスワード欄Ｒ１２に入力する。そして、運送者は、ログインボタンＢ１１を押下する。ログインボタンＢ１１が押下されたことで、ログイン手段２０２は、ＩＤおよびパスワードをログイン要求として、荷物管理支援装置４０に、通信手段２０１を介して送信する。
【００３０】
荷物管理支援装置４０の認証手段４０２（図４参照）により認証が得られ、その旨が第２端末装置３０へ通知されると、メニュー画面Ｐ２（図６（Ｂ）参照）が表示手段２０８に表示される。
メニュー画面Ｐ２では、写真登録運送前ボタンＢ２１と、写真登録運送後ボタンＢ２２と、写真閲覧ボタンＢ２３とが表示されている。
【００３１】
（運送前の荷物画像の登録の説明）
運送前であるため、運送前の荷物の状態を写真（荷物画像）により登録する必要がある。従って、運送者は、写真登録運送前ボタンＢ２１を押下する。
写真登録運送前ボタンＢ２１が押下されると、コード読み取り画面Ｐ３（図７（Ａ）参照）が表示される。コード読み取り画面Ｐ３では、表示枠Ｒ３１に撮影手段２０３からの画像Ｐ３１が表示されている。
運送者が撮影手段２０３のレンズをバーコードＣ（図５参照）に向けることで、コード取得手段２０４が、バーコードＣからコード化情報（荷物識別情報）を取得する。
【００３２】
バーコードＣから荷物識別情報が取得されると、荷物撮影画面Ｐ４（図７（Ｂ）参照）が表示される。荷物撮影画面Ｐ４では、表示枠Ｒ４１に撮影手段２０３からの画像Ｐ４１が表示されている。また、荷物画像を取得するためのシャッターボタンＢ４１と、荷物画像の取得が完了したことを示す完了ボタンＢ４２とが表示されている。
【００３３】
運送者は、荷物の、例えば、正面、背面、左右の側面などに、撮影手段２０３を向けながら、順番にシャッターボタンＢ４１を押下する。シャッターボタンＢ４１が押下されることで、荷物画像が記憶手段２１０に格納される。なお、荷物画像は、正面、背面、左右の側面の４枚だけでなく、上方からの写真、斜めからの写真、傷や凹みなどが荷物に生じていることが事前に把握できている場合には、その部分の拡大写真などとすることができる。
【００３４】
撮影が完了すると、運送者は、完了ボタンＢ４２を押下する。完了ボタンＢ４２が押下されることで、撮影された荷物画像がサムネイル形式で表示されるアップロード指示画面Ｐ５（図８参照）が表示される。アップロード指示画面Ｐ５では、荷物画像を荷物管理支援装置４０に登録するためのアップロードボタンＢ５１が表示されている。
【００３５】
運送者は、アップロード指示画面Ｐ５により荷物画像を参照して問題がなければ、これらの荷物画像を荷物管理支援装置４０に登録するために、アップロードボタンＢ５１を押下する。
アップロードボタンＢ５１が押下されると、アップロード手段２０５により、荷物画像と、荷物識別情報と、運送者を特定するＩＤ（運送者識別情報）と、運送前であることを示す運送前情報と、測位手段２０７による現在地を示す測位情報とを、管理情報として、荷物管理支援装置４０に通信手段２０１を介して送信する。
【００３６】
荷物管理支援装置４０では、第１端末装置２０からの管理情報に基づいて、登録手段４０３が荷物識別情報に荷物画像を関連付けて記憶手段４０５の所定の領域に格納する。
ここで、運送前に登録される管理情報について、図９（Ａ）に基づいて説明する。
管理情報は、荷物運送の依頼があると、まず、荷物ごとに、例えば、荷物識別情報を示すフォルダ（荷物識別フォルダＦ１）が作成される。次に、この荷物識別フォルダＦ１の配下に、荷物識別情報の運送に関する荷物情報を示すフォルダ（荷物情報フォルダＦ２）が作成される。そして、荷物情報フォルダＦ２の配下に、例えば、荷物の品名、荷物の数量、運送元を示す発地、運送先を示す着地などの荷物情報（荷物情報ファイル）が格納される。
【００３７】
登録手段４０３は、運送前情報が管理情報に含まれていることから、運送前を示すフォルダ（運送前フォルダＦ３）配下に、運送者識別情報と、測位情報とを格納すると共に、荷物画像が格納される荷物画像フォルダＦ４配下に、荷物画像を格納する。
このようにして、管理情報は、荷物識別情報に、荷物画像の他に、各情報が関連付けられている。
【００３８】
（運送後の荷物画像の登録の説明）
荷物が、図１に示すように、車両や鉄道、船舶、航空機などにより運送され、荷物を引き渡す前に、運送者は、運送後の荷物の状態を写真（荷物画像）により登録する。
この運送後の荷物画像の登録は、図６（Ｂ）に示すメニュー画面Ｐ２にて、写真登録運送後ボタンＢ２２を押下することで選択される。
【００３９】
写真登録運送後ボタンＢ２２が押下されると、図７（Ａ）に示すコード読み取り画面Ｐ３と、図７（Ｂ）に示す荷物撮影画面Ｐ４と、図８に示すアップロード指示画面Ｐ５とにより荷物画像の登録が行われる。そのため、運送前と同様であるので、説明は省略する。このとき、管理情報には、運送後であることを示す運送後情報が含まれる。
登録手段４０３は、運送後情報が管理情報に含まれていることから、図９（Ｂ）に示すように、運送後フォルダＦ５配下に、運送者識別情報と測位情報とを格納し、荷物画像フォルダＦ６配下に、運送後に撮影された荷物画像を格納する。
【００４０】
（運送者による荷物の状態の閲覧の説明）
運送が完了した運送者が荷物に問題を発見した場合には、その問題が運送前から既に発生していたのか、または運送中に発生したものかを確認することができる。
運送者は、図６（Ｂ）に示すメニュー画面Ｐ２にて、写真閲覧ボタンＢ２３を押下する。この写真閲覧ボタンＢ２３の押下により、第１端末装置２０の表示手段２０８に、図７（Ａ）に示すコード読み取り画面Ｐ３が表示される。
【００４１】
運送者は、撮影手段２０３をバーコードＣ（図５参照）に向けることで、コード取得手段２０４が、バーコードＣからコード化情報（荷物識別情報）を取得する。
荷物識別情報が得られると、この荷物識別情報と、確認者を特定するＩＤ（確認者識別情報）とが閲覧要求として、図１に示す第１端末装置２０から荷物管理支援装置４０に送信される。
【００４２】
荷物管理支援装置４０は、図４に示す管理情報提供手段４０４が荷物識別情報に基づいて、記憶手段４０５から該当する管理情報（図９（Ｂ）参照）を読み出す。そして、管理情報提供手段４０４が管理情報を、通信手段４０１を介して第１端末装置２０に送信する。
【００４３】
第１端末装置２０では、閲覧手段２０６が管理情報を表示手段２０８に表示する。
例えば、表示手段２０８には、図１０に示すような閲覧画面Ｐ６が表示される。
閲覧画面Ｐ６では、荷物情報である品名、数量、発地および着地が表示されている。また、閲覧画面Ｐ６の運送前画面Ｐ６１では、荷物を各方向から撮影した荷物画像と、荷物画像のタイムスタンプまたはＥｘｉｆによる撮影日時、運送者識別情報に基づく運送者氏名、測位情報による撮影場所を示す地図が表示されている。
また、運送前画面Ｐ６１を横方向にスワイプすることで画面が入れ替わる運送後画面Ｐ６２も同様に、荷物画像と、撮影日時、運送者氏名、地図が表示されている。
また、確認したことを通知するための確認ボタンＢ６１が表示されている。
【００４４】
運送前画面Ｐ６１と運送後画面Ｐ６２とでは、サムネイルにより表示された荷物画像をタップすることで、拡大表示することができる。
運送者は、運送前画面Ｐ６１と運送後画面Ｐ６２とにより荷物を各方向から撮影した荷物画像により、運送前から既に問題が発生していたのか、または運送中に問題が発生したものかを確認することができる。従って、荷物についての責任の所在を明確にすることができる。
また、運送後画面Ｐ６２に表示された、着地と、地図が示す現在地とから、運送者は、荷物を正しい運送先に運送したことを確認することができる。
【００４５】
なお、図１０においては、運送者が運送後に管理情報を閲覧したため、閲覧画面Ｐ６として、運送前画面Ｐ６１と運送後画面Ｐ６２との２画面が提供されたが、運送前であれば、運送前画面Ｐ６１だけを閲覧することができる。
【００４６】
（確認者による荷物の状態の閲覧の説明）
次に、荷物が、荷主や運送依頼主などの運送先に引き渡され、運送が完了したときに、運送先が確認者となって荷物の状態を閲覧する場合を説明する。
確認者は、第２端末装置３０を操作してログインを行う。このログインは、表示手段３０６に表示された、図６（Ａ）に示すログイン画面Ｐ１と同様の画面に、ＩＤおよびパスワードが入力されることで、ログイン手段３０２により荷物管理支援装置４０にＩＤおよびパスワードが送信されて認証が得られる。
【００４７】
荷物管理支援装置４０により認証が得られると、第２端末装置３０の表示手段３０６に図７（Ａ）に示すコード読み取り画面Ｐ３と同様の画面が表示されるので、確認者は、撮影手段３０３をバーコードＣ（図５参照）に向けることで、コード取得手段３０４が、バーコードＣからコード化情報（荷物識別情報）を取得する。
【００４８】
荷物識別情報が得られると、この荷物識別情報と、確認者を特定するＩＤ（確認者識別情報）とが閲覧要求として、第２端末装置３０から荷物管理支援装置４０に送信される。
荷物管理支援装置４０は、管理情報提供手段４０４が荷物識別情報に基づいて、記憶手段４０５から該当する管理情報を読み出す。そして、管理情報提供手段４０４が管理情報を、通信手段４０１を介して第２端末装置３０に送信する。
【００４９】
第２端末装置３０では、閲覧手段３０５が、図１０に示す運送前画面Ｐ６１と運送後画面Ｐ６２と同様の画面により管理情報を、表示手段３０６に表示する。
確認者は、運送前画面Ｐ６１および運送後画面Ｐ６２により表示された荷物画像により、傷や凹みなどが無い、または運送前から傷や凹みなどがあったなどが把握できるため、無事に荷物が運送されたことを確認することができる。
【００５０】
確認者は、管理情報の閲覧を行い、問題無いことが確認できれば、確認ボタンＢ６１を押下する。確認者による確認ボタンＢ６１の押下により、第２端末装置３０から確認通知が荷物管理支援装置４０へ送信される。
荷物管理支援装置４０では、登録手段４０３が、図９（Ｂ）に示す管理情報における荷物識別情報に対応させて、確認済情報を格納する。
確認済情報が格納されることで、例えば、図１０に示す閲覧画面Ｐ６に確認済である旨の表示をさせることができるので、運送者は、確認者が荷物の運送完了を確認したことを、把握することができる。
【００５１】
このように、本実施の形態に係る荷物管理支援システム１０によれば、運送前から既に問題が発生していたのか、または運送中に問題が発生したものかを確認することができる。よって、荷物管理支援システム１０は、荷物についての責任の所在を明確にすることができる。
また、確認者は、無事に荷物が運送されたことが確認できる。従って、荷物管理支援システム１０は、運送者が荷物を無事に届けたことが確認でき、荷主や依頼主に報告することができる。
【産業上の利用可能性】
【００５２】
本発明は、荷物を運送する様々な種類の運送業者に好適である。
【符号の説明】
【００５３】
１０  荷物管理支援システム
２０  第１端末装置
２０１  通信手段
２０２  ログイン手段
２０３  撮影手段
２０４  コード取得手段
２０５  アップロード手段
２０６  閲覧手段
２０７  測位手段
２０８  表示手段
２０９  入力手段
２１０  記憶手段
３０  第２端末装置
３０１  通信手段
３０２  ログイン手段
３０３  撮影手段
３０４  コード取得手段
３０５  閲覧手段
３０６  表示手段
３０７  入力手段
３０８  記憶手段
４０  荷物管理支援装置
４０１  通信手段
４０２  認証手段
４０３  登録手段
４０４  管理情報提供手段
４０５  記憶手段
Ｃ  バーコード
Ｐ  パレット
Ｂ  外装箱
Ｒ  中継局
Ｗ  インターネット
Ｐ１  ログイン画面
Ｒ１１  ＩＤ欄
Ｒ１２  パスワード欄
Ｂ１１  ログインボタン
Ｐ２  メニュー画面
Ｂ２１  写真登録運送前ボタン
Ｂ２２  写真登録運送後ボタン
Ｂ２３  写真閲覧ボタン
Ｐ３  コード読み取り画面
Ｒ３１  表示枠
Ｐ３１  画像
Ｐ４  荷物撮影画面
Ｒ４１  表示枠
Ｐ４１  画像
Ｂ４１  シャッターボタン
Ｂ４２  完了ボタン
Ｐ５  アップロード指示画面
Ｂ５１  アップロードボタン
Ｐ６  閲覧画面
Ｐ６１  運送前画面
Ｐ６２  運送後画面
Ｂ６１  確認ボタン
Ｆ１  荷物識別フォルダ
Ｆ２  荷物情報フォルダ
Ｆ３  運送前フォルダ
Ｆ４  荷物画像フォルダ
Ｆ５  運送後フォルダ
Ｆ６  荷物画像フォルダ
【要約】
【課題】荷物の運送について、責任の所在を明確にすることができる荷物管理支援システムおよび荷物管理支援プログラムを提供する。
【解決手段】荷物管理支援システム１０は、荷物の運送者が操作する第１端末装置２０と、運送者により運送される荷物の情報が管理情報として管理される荷物管理支援装置４０とを備えている。まず、第１端末装置２０が、運送前と運送後とに撮影された荷物画像を荷物識別情報と共に管理情報として荷物管理支援装置４０にアップロードする。荷物管理支援装置４０は、第１端末装置２０からの荷物識別情報に荷物画像を関連付けて管理情報として登録する。第１端末装置２０が、荷物識別情報を閲覧要求として荷物管理支援装置４０に送信すると、荷物管理支援装置４０からの運送前と運送後とに撮影された荷物画像が閲覧できる。
【選択図】図１【図１】
0006789517.tif 000002
【図２】
0006789517.tif 000003
【図３】
0006789517.tif 000004
【図４】
0006789517.tif 000005
【図５】
0006789517.tif 000006
【図６】
0006789517.tif 000007
【図７】
0006789517.tif 000008
【図８】
0006789517.tif 000009
【図９】
0006789517.tif 000010
【図１０】
0006789517.tif 000011